(57)【特許請求の範囲】
【請求項１】
柱間に梁を架設するにあたって、クレーン等の揚重機で揚重されてくる梁を、当該揚重機から解放した状態で位置決めするための梁の位置決め装置であって、
両端側が各柱の頭部に対応して位置するよう上記揚重機で揚重されてくる上記梁の直下位置に対応する床に設置されるものであり、
上記揚重機から解放され上記各柱の頭部に両端側が仮載置される梁の少なくとも一端側を柱の頭部より上方に移動した後に柱の頭部に戻すための上下移動手段を備え、
上記上下移動手段は、ジャッキと、このジャッキを支える１本の支柱とにより構成され、
上記ジャッキと支柱との間に、上記ジャッキを水平方向に移動させて梁の位置を調整するための位置調整手段を設けたことを特徴とする梁の位置決め装置。  
【請求項２】
柱間に梁を架設するにあたって、クレーン等の揚重機で揚重されてくる梁を、当該揚重機から解放した状態で位置決めするための梁の位置決め方法であって、
両端側が各柱の頭部に対応して位置するよう上記揚重機で揚重されてくる上記梁の直下位置に対応する床に設置され、上記揚重機から解放され上記各柱の頭部に両端側が仮載置される梁の少なくとも一端側を柱の頭部より上方に移動した後に柱の頭部に戻すための上下移動手段を備えた梁の位置決め装置を用い、
上記仮載置後、上記上下移動手段で柱の頭部より上方に移動された梁の少なくとも一端側に人力などの力を作用させ、この力により、上記床と接する上下移動手段の下端の一方側を支点として他方側を浮かせることによって梁を移動させ梁の位置決めを行なうようにしたことを特徴とする梁の位置決め方法。
【発明の詳細な説明】
【０００１】
【発明の属する技術分野】
本発明は、柱間に梁を架設するにあたって、クレーン等の揚重機で揚重されてくる梁を、当該揚重機から解放した状態で位置決めするための梁の位置決め装置及び位置決め方法に関するものである。
【０００２】
【従来の技術】
一般に、柱間にプレキャストコンクリート製の梁（以下、ＰＣ梁と称す）を架設する場合、クレーン等の揚重機でＰＣ梁を施工場所まで揚重して、揚重機でＰＣ梁を吊下したままの状態（揚重機に荷重を預けたままの状態）で、柱上に乗って位置決め作業を行う作業者が揚重機のオペレータに無線などで指示を与えながらＰＣ梁の位置決め作業を行い、この位置決め作業が終了した後に、揚重機をＰＣ梁から解放するようにしていた。
しかしながら、上述の方法によれば、揚重機でＰＣ梁を吊下したままの状態でＰＣ梁の位置決め作業を直接行うので、位置決め作業が大変であり、また、微妙な位置調整を行えず、位置決め精度も悪かった。
【０００３】
そこで、本願出願人による特許出願の公開公報である特開平１１−１７２９２２号公報に記載された発明では、上記課題を解消するための梁の位置決め装置及び位置決め方法が提案されている。この発明は、図５に示すように、柱１１，１１間にＰＣ梁１０を架設するにあたって、クレーン等の揚重機で揚重されてくるＰＣ梁１０を、当該揚重機から解放した状態で位置決めするために、両端１０ｅ，１０ｅ側が各柱１１，１１の頭部１１ｔ，１１ｔに対応して位置するよう揚重機で揚重されてくるＰＣ梁１０の直下位置に対応するコンクリート床Ｆに設置されるものであり、ＰＣ梁１０の下面１０ｕを支えて当該ＰＣ梁１０を柱１１の頭部１１ｔより上方に位置させた状態で当該ＰＣ梁１０の水平方向の位置を調整するためのＸＹテーブル５０あるいはすべりテーブル６０等の位置調整手段と、ＰＣ梁１０が柱１１の頭部１１ｔより上方に位置するよう上記位置調整手段を上方に移動させることが可能で、かつ、位置調整手段による水平方向の位置調整が終了したＰＣ梁１０の両端１０ｅ，１０ｅ側を各柱１１の頭部１１ｔに載置するため上記位置調整手段を下方に移動させることが可能な上下移動手段（サポート３Ａ（４本）とジャッキ４Ａ）とを備えて成る梁の位置決め装置１Ａ，１Ｂを用いる。そして、揚重機をＰＣ梁１０から解放した状態で、図６に示すように、ＰＣ梁１０，１０Ａの鉄筋１２，１２Ａ同志を、接続ナット１３ａ及び固定ナット１３ｂ，１３ｂから成る接続具１３により接続固定するために必要な位置決め作業，すなわち、ＰＣ梁１０，１０Ａの鉄筋１２，１２Ａ同志の水平方向（即ち、図６の紙面と直行する方向）における中心位置ずれの調整（以下、ずれ調整と言う）や，鉄筋１２，１２Ａ同志を接続ナット１３ａで接続できるよう、接続ナット１３ａのねじピッチに合うようにＰＣ梁１０，１０Ａの各鉄筋１２，１２Ａ先端間の距離を調整（以下、ピッチ調整と言う）するための微妙な調整作業を可能とするものである。尚、１０は位置決めしようとするＰＣ梁、１０Ａは施工済み（位置決め作業済み）のＰＣ梁を示し、ＰＣ梁１０（１０Ａ）は、両端１０ｅ，１０ｅの下側に外方に突出する複数の鉄筋１２（１２Ａ）・・・が設けられているものであり、この鉄筋１２（１２Ａ）は、位置決め基準用の基準材として機能する。１２Ｂは柱１１の頭部１１ｔに植設された複数の鉄筋である。これら鉄筋１２，１２Ａ，１２Ｂには、ねじが切られているものである。
上記位置決め装置１Ａ，１Ｂを用いた梁の位置決め方法の具体的な手順は次の通りである。まず、柱１１，１１間に位置決め装置１Ａ，１Ｂを移動してきて所定の床位置に設置する（ベース板２の滑車２ａを介して移動してきてアウトリガー２ｂを出してコンクリート床Ｆに固定する）。この場合、既に位置決め作業が終了している施工済みＰＣ梁１０Ａの一端１０ｅ側を基準として位置決めを行うＰＣ梁１０の一端１０ｍ側に対応する直下位置に上記ＸＹテーブル５０が位置するように上記位置決め装置１Ａを配置するとともに、ＰＣ梁１０の他端１０ｎ側に対応する直下位置に上記すべりテーブル６０が位置するように上記位置決め装置１Ｂを配置する。そして、各テーブル５０，６０の上面の位置がほぼ各柱１１，１１の頭部１１ｔ，１１ｔの位置と一致するように外筒棒３ａより突出する内棒３ｂの突出長さを合わせて、サポート３Ａの長さを予め調整しておく。次に、ジャッキ４Ａのピストン４ａを上動させて、各テーブル５０，６０が各柱１１，１１の頭部１１ｔ，１１ｔの位置より若干高い位置にくるよう移動させておく。この状態で、ＰＣ梁１０を揚重機で揚重してきて各テーブル５０，６０上に載置する。その後、ＸＹテーブル５０を駆動し、ＰＣ梁１０Ａの一端１０ｅ側を基準としてＰＣ梁１０の一端１０ｍ側の位置を調整する。即ち、ずれ調整及びピッチ調整を行う。調整後、ジャッキ４のピストン４ａを縮退させ、アウトリガー２ｂを元の位置に戻して、最後に、ＰＣ梁１０の鉄筋１２とＰＣ梁１０Ａの鉄筋１２Ａを接続ナット１３ａで接続する。以後、同じ工程を繰り返す。この後、位置決め施工の終了した各ＰＣ梁間を型枠で囲ってコンクリートを注入することにより連続梁となる。
【０００４】
【発明が解決しようとする課題】
しかしながら、上述した特開平１１−１７２９２２号公報に開示された梁の位置決め装置１Ａ，１Ｂは、ベース板２及び４本の支柱としてのサポート３Ａなどを備えており、重くて大きいので、持ち運びが不便であり、また、架設作業も大変であった。また、ＸＹテーブル５０などの高価な機械を搭載するので、コストが高くなってしまうという課題があった。
また、上記位置決め装置１Ａ，１Ｂを用いた位置決め方法によれば、位置決め装置１Ａ，１Ｂが重くて大きいので、架設作業が大変であり、また、位置決め作業においても、ＸＹテーブル５０などの高価な機械を使用しているため、精度は良いが、作業に時間がかかり、工期短縮を図れないといった課題があった。
【０００５】
【課題を解決するための手段】
本願発明に係る梁の位置決め装置は、揚重機から解放され各柱の頭部に両端側が仮載置される梁の少なくとも一端側を柱の頭部より上方に移動した後に柱の頭部に戻すための上下移動手段を備え、上記上下移動手段を、ジャッキと、このジャッキを支える１本の支柱とにより構成し、上記ジャッキと支柱との間に、上記ジャッキを水平方向に移動させて梁の位置を調整するための位置調整手段を設けた。
本願発明に係る梁の位置決め方法は、上記上下移動手段を備えた梁の位置決め装置を用い、梁の仮載置後、上下移動手段で柱の頭部より上方に移動された梁の少なくとも一端側に人力などの力を作用させ、この力により、上記床と接する上下移動手段の下端の一方側を支点として他方側を浮かせることによって梁を移動させ梁の位置決めを行なうようにした。
【０００６】
【発明の実施の形態】
実施の形態１．
以下、本発明の実施の形態１につき図1〜図３に基づいて説明する。尚、図５，６の従来例と同一又は相当部分は同一符号を付し詳説を省略する。
実施の形態１による梁の位置決め装置１は、図１，２に示すように、両端１０ｅ，１０ｅ側が各柱１１，１１の頭部１１ｔ，１１ｔに対応して位置するようクレーンなどの揚重機で揚重されてくるＰＣ梁１０の直下位置に対応するコンクリート床Ｆに設置されるものであり、揚重機から解放され各柱１１，１１の頭部１１ｔ，１１ｔに両端１０ｅ，１０ｅ側が仮載置されるＰＣ梁１０の一端１０ｅ側あるいは両端１０ｅ，１０ｅ側を柱１１の頭部１１ｔより上方に移動した後に柱１１の頭部１１ｔに戻すための上下移動手段を備えたものである。
上記上下移動手段は、ジャッキ４と、このジャッキ４を支える支柱としての１本のサポート３とにより構成される。
上記サポート３は、例えば、金属製の円柱，角柱等で構成される。このサポート３は、例えば、外筒棒３ａより突出する内棒３ｂの突出長さを図示しないピン止めにより段階的に大まかに調整できるようになっている。尚、ねじ機構で内棒３ｂを伸縮させて長さを微調整できるような構成としてもよく、要は、全体の長さを調整できるように構成されていればよい。
ジャッキ４はサポート３の上端に固定されるもので、上下動可能なピストンジャーナル４ｐを備える。ジャッキ４は、油圧式、水圧式、ねじ式等どのようなタイプでも構わない。各図では、操作部４ｋに図示しないハンドルレバーを差し込んで人力で駆動するねじ式タイプのジャッキを示している。
【０００７】
以下、上記位置決め装置１を用いた梁の位置決め方法を説明する。
ＰＣ梁１０を揚重機で揚重してきて各柱１１，１１の頭部１１ｔ，１１ｔに両端１０ｅ，１０側を仮載置し、ＰＣ梁１０を揚重機から解放する。仮載置されたＰＣ梁１０の両端１０ｅ，１０ｅ側の直下位置に対応するコンクリート床Ｆに、サポート３の長さを調整して位置決め装置１，１を設置する。この後、図６で示したような、ずれ調整及びピッチ調整を行なうわけであるが、鉄筋１２，１２Ａのずれ調整の場合は、ＰＣ梁１０の両端１０ｅ，１０ｅ側のうち、片方側のみをジャッキ４で持ち上げて行なうことができる。
即ち、ずれ調整を行ないたい側に設置した位置決め装置１のジャッキ４の操作部４ｋにハンドルレバーを差し込んで回し、ジャッキ４のジャーナルピストン４ｐを上動させて、ＰＣ梁１０の片方側を浮かせる。この状態で、作業者が、ＰＣ梁１０の鉄筋１２にバール等を引っかけて人力を加えることでＰＣ梁１０を動かす。すると、サポート３に力が加わり、図３に示すように、コンクリート床Ｆと接するサポート３の下端の一方３Ｘ側を支点として他方３Ｙ側が浮いて（即ち、力の方向にサポート３が傾いて）ＰＣ梁１０が動く。このようにして、ずれ位置調整をした後に、ジャッキ４のジャーナルピストン４ｐを縮退させて戻すことにより、ＰＣ梁１０の片方側を柱１１の頭部１１ｔに戻す。尚、図２に示すように、ＰＣ梁１０の両端１０ｅ，１０ｅ側をジャッキ４で持ち上げておいてずれ調整を行なっても構わない。
鉄筋１２，１２Ａ間のピッチ調整の場合は、図２に示すように、ＰＣ梁１０の両端１０ｅ，１０ｅ側をそれぞれ位置決め装置１，１で浮かせた後に、ピッチ調整方向にＰＣ梁１０を動かすことにより、上記と同様に、力の方向に各位置決め装置１，１のサポート３がそれぞれ傾いてＰＣ梁１０が動く。このようにして、ピッチを調整した後、ジャッキ４のジャーナルピストン４ｐを縮退させて戻し、ＰＣ梁１０の両端１０ｅ，１０ｅ側を各柱１１，１１の頭部１１ｔ，１１ｔ上に戻す。
即ち、ＰＣ梁１０の仮載置後、ジャッキ４で柱１１の頭部１１ｔより上方に移動されたＰＣ梁１０の少なくとも一端１０ｅ側に人力などの力を作用させ、この力により、コンクリート床Ｆと接するサポート３の下端の一方３Ｘ側を支点として他方３Ｙ側を浮かせることによってサポート３を傾けてＰＣ梁１０を移動させＰＣ梁１０の位置決めを行なう。
【０００８】
実施の形態１によれば、ジャッキ４と、このジャッキ４を支える１本のサポート３とにより構成される位置決め装置１としたので、重量を軽くでき、１本の棒状なので、持ち運びが楽であり、架設作業も簡単に行なえる。また、構成部材が少なく、ＸＹテーブルなどの高価な機械を搭載していないので、コストも安くできる。
また、位置決め作業の面においても、ＰＣ梁１０の少なくとも一端１０ｅ側を浮かせて人力などの力を作用させるだけであるので、作業が非常に簡単となる。また、ＸＹテーブルなどの高価な機械を使用していないので、機械操作などの作業時間を短縮でき、工期の短縮化が図れるようになる。
【０００９】
尚、実施の形態１の位置決め装置１においては、効率的に作業が行なえるのでサポート３を１本とすることが望ましいが、２本のサポート３を備えた位置決め装置を用いてもよい。
【００１０】
実施の形態２．
図４に示すように、上記ジャッキ４とサポート３との間に、ジャッキ４を水平方向に移動させてＰＣ梁１０の位置を調整するための位置調整手段としてのスライドテーブル６を設けた位置決め装置１Ｘとしてもよい。スライドテーブル６としては、コストの面を考えて、図４に示すような、単に２枚の金属板からなる上スライド板６ａ，下スライド板６ｂがスライドするような構成のものを使用することが望ましい。尚、ジャッキ４側の可動範囲は、ジャッキ４の中心とサポート３の中心とが離れ過ぎないように規制されている。
本実施の形態２の位置決め装置１Ｘを使用した梁の位置決め方法は、実施の形態１と同じように、ジャッキ４により、ＰＣ梁１０の両端１０ｅ，１０ｅ側あるいは片方側を浮かせた後に、作業者が人力によってＰＣ梁１０を動かすと、上スライド板６ａが下スライド板６ｂ上をスライドすることによって、ジャッキ４が水平方向に移動し、ＰＣ梁１０も水平方向に移動する。従って、ＰＣ梁１０のずれ調整及びピッチ調整が行なうことができる。
【００１１】
実施の形態２の位置決め装置１Ｘによれば、実施の形態１の位置決め装置１及び位置決め方法同様の効果が得られる。また、実施の形態１に比べて、位置決めの精度を良く出来る。
【００１２】
尚、実施の形態２の位置決め装置１Ｘにおいては、コストが高くなるが、位置調整手段として、ＸＹテーブルなどの他のスライドテーブルを用いてもよい。
【００１３】
尚、各柱１１，１１間の距離（言い換えればＰＣ梁１０の長さ）にもよるが、この距離が短い場合や著しく長くない場合などは、位置決め装置１あるいは１Ｘを１つだけ、ＰＣ梁１０の長さ方向におけるほぼ中心の下面（の直下位置）に対応する床位置に設置して位置決め作業を行うことも可能である。
【００１４】
また、上述した位置決め装置１あるいは１Ｘでは、1本のサポート３とジャッキ４とにより上下移動手段を構成したが、ストロークの長いジャーナルピストンを備えたジャッキだけで上下移動手段を構成してもよいし、あるいは、サポートだけで上下移動手段を構成してもよい。このようにサポートだけで構成する場合、ねじ機構で内棒３ｂが伸縮するような構成とし（例えば、バレーボールのネットを張る支柱のような構造）、内棒３ｂの長さを伸縮させて全体の長さを調整できるようにすればよい。
【００１５】
また、ＰＣ梁１０に設けられたねじが切られた鉄筋１２をＰＣ梁１０Ａの鉄筋に合わせて接続ナット１３ａで接続するための位置決めについて説明したが、位置決めするだけであれば、このような鉄筋を備えていない梁の位置決めであっても本願発明を適用できる。
【００１６】
【発明の効果】
以上説明したように、本発明の請求項１に係る梁の位置決め装置によれば、重量を軽くできて、持ち運びが楽となり、架設作業も簡単に行なえる。また、構成部材が少なく、ＸＹテーブルなどの高価な機械を搭載していないので、コストも安くできる。また、ＸＹテーブルなどの機械の操作などの作業時間を短縮でき、本発明に係る梁の位置決め方法を実現することが可能となって、工期の短縮化が図れるようになる。特に、ジャッキと、このジャッキを支える１本の支柱とから成る上下移動手段を備えた位置決め装置とすることにより、１本の棒状の位置決め装置とでき、上記効果を向上できる。また、ジャッキと支柱との間に、ジャッキを水平方向に移動させて梁の位置を調整するための位置調整手段を設けたことにより、位置決めの精度を良く出来る。
また、本発明に係る梁の位置決め方法によれば、上下移動手段により梁の少なくとも一端側を浮かせて人力などの力を作用させるだけであり、作業が非常に簡単となり、また、ＸＹテーブルなどの高価な機械を使用しなくともよくなって、機械操作などの作業時間を短縮でき、工期の短縮化が図れるようになる。
【図面の簡単な説明】
【図１】  本発明の実施の形態１による梁の位置決め装置及び位置決め方法の説明図である。
【図２】  実施の形態１による梁の位置決め装置及び位置決め方法の説明図である。
【図３】  実施の形態１による梁の位置決め方法の説明図である。
【図４】  本発明の実施の形態２による梁の位置決め装置を示す図である。
【図５】  従来の梁の位置決め装置及び位置決め方法の説明図である。
【図６】  従来の梁の位置決め方法の説明図である。
【符号の説明】
１，１Ｘ  位置決め装置、３  サポート、４  ジャッキ、６  すべりテーブル（位置調整手段）、１０  ＰＣ梁、１１  柱。
【図１】
0004307680.tif 000002
【図２】
0004307680.tif 000003
【図３】
0004307680.tif 000004
【図４】
0004307680.tif 000005
【図５】
0004307680.tif 000006
【図６】
0004307680.tif 000007